(57)【要約】【課題】本来の表示画像を常に小さくすること無しに、広告宣伝画像を表示するスペースを広くとることができ、また、広告宣伝画像を画面の中央に表示することができ、さらに、広告宣伝画像を鮮明に見せることができる端末装置を提供することを目的とするものである。【解決手段】入替前の本来の画像を入替後の本来の画像に表示を切り替える端末装置において、端末装置に表示されている上記メニューのうちの１つの項目をクリック等したことを検出すると、オブジェクト内で、ＣＭ画像または案内画像を徐々に表示し、上記ＣＭ画像または案内画像を所定量表示すると、上記入替後の本来の画像を徐々に表示しつつ、上記ＣＭ画像または案内画像を徐々に消す端末装置である。【選択図】図１
2009204843.tif 000002
【特許請求の範囲】
【請求項１】
入替前の本来の画像を入替後の本来の画像に表示を切り替える端末装置において、
上記端末装置に表示されている画面を制御する人間の動作を検出する検出手段と；
ＣＭ画像または案内画像を、上記入替前の本来の画像の背面に配置し、上記画面を制御する人間の動作を検出すると、画面のオブジェクト内で、ＣＭ画像または案内画像を徐々に表示し、上記ＣＭ画像または案内画像を所定量表示すると、上記入替後の本来の画像を徐々に表示しつつ、上記ＣＭ画像または案内画像を徐々に消す表示画像制御手段と；
を有することを特徴とする端末装置。
【請求項２】
請求項１において、
上記端末装置に表示されている画面を制御する人間の動作は、マウスの操作、キーボード操作、タッチパネルの操作、音声認識装置への音声入力のうちの少なくとも１つであることを特徴とする端末装置。
【請求項３】
請求項１において、
上記表示画像制御手段は、上記画面を制御する人間の動作を検出し、上記ＣＭ画像または案内画像を徐々に表示し、徐々に消したときから、所定時間経過すると、上記端末装置に表示されている画面を制御する人間の動作を行わなくても、上記ＣＭ画像または案内画像を徐々に表示し、徐々に消す手段であることを特徴とする端末装置。
【請求項４】
請求項１において、
上記表示画像制御手段は、上記ＣＭ画像または案内画像について、Ｂｏｘ  ｉｎ／ｏｕｔ、Ｃｉｒｃｌｅ  ｉｎ／ｏｕｔ、Ｗｉｐｅ  ｕｐ／ｄｏｗｎ、Ｗｉｐｅ  ｒｉｇｈｔ／ｌｅｆｔ、Ｖｅｒｔｉｃａｌ／Ｈｏｒｉｚｏｎｔａｌ  ｂｌｉｎｄｓ、Ｃｈｅｃｋｅｒｂｏａｒｄ  ａｃｒｏｓｓ／ｄｏｗｎ、Ｒａｎｄｏｍ  ｄｉｓｓｏｌｖｅ、Ｓｐｌｉｔ  ｖｅｒｔｉｃａｌ  ｉｎ／ｏｕｔ、Ｓｐｌｉｔ  ｈｏｒｉｚｏｎｔａｌ  ｉｎ／ｏｕｔ、Ｓｔｒｉｐｓ  ｌｅｆｔ  ｄｏｗｎ／ｕｐ、Ｓｔｒｉｐｓ  ｒｉｇｈｔ  ｄｏｗｎ／ｕｐ、Ｒａｎｄｏｍ  ｂａｒｓ  ｈｏｒｉｚｏｎｔａｌ／ｖｅｒｔｉｃａｌ、フェードイン／アウト、ロールイン／アウト、キューブロールイン／アウト、ページロール  イン／アウトのうちの少なくとも１つを実行する手段であることを特徴とする端末装置。
【請求項５】
請求項１において、
上記表示画像制御手段は、上記画面を制御する人間の動作と同じ動作を続けて実行すると、上記ＣＭ画像または案内画像を表示し続ける手段であることを特徴とする端末装置。
【請求項６】
入替前の本来の画像を入替後の本来の画像に表示を切り替える端末装置と交信するサーバにおいて、
上記端末装置に表示されている画面を制御する人間の動作を検出する検出手段と；
ＣＭ画像または案内画像を、上記入替前の本来の画像の背面に配置し、上記画面を制御する人間の動作を検出すると、画面のオブジェクト内で、ＣＭ画像または案内画像を徐々に表示し、上記ＣＭ画像または案内画像を所定量表示すると、上記入替後の本来の画像を徐々に表示しつつ、上記ＣＭ画像または案内画像を徐々に消す表示画像制御手段と；
を有することを特徴とするサーバ。
【請求項７】
入替前の本来の画像を入替後の本来の画像に表示を切り替える表示制御方法において、
端末装置に表示されている画面を制御する人間の動作を、検出手段が検出する検出工程と；
ＣＭ画像または案内画像を、上記入替前の本来の画像の背面に配置し、上記画面を制御する人間の動作を検出すると、画面のオブジェクト内で、ＣＭ画像または案内画像を、表示画像制御手段が徐々に表示し、上記ＣＭ画像または案内画像を所定量表示すると、上記入替後の本来の画像を徐々に表示しつつ、上記ＣＭ画像または案内画像を、表示画像制御手段が徐々に消す表示画像制御工程と；
を有することを特徴とする表示制御方法。
【請求項８】
入替前の本来の画像を入替後の本来の画像に表示を切り替えるプログラムにおいて、
端末装置に表示されている画面を制御する人間の動作を、検出手段が検出する検出手順と；
ＣＭ画像または案内画像を、上記入替前の本来の画像の背面に配置し、上記画面を制御する人間の動作を検出すると、画面のオブジェクト内で、ＣＭ画像または案内画像を、表示画像制御手段が徐々に表示し、上記ＣＭ画像または案内画像を所定量表示すると、上記入替後の本来の画像を徐々に表示しつつ、上記ＣＭ画像または案内画像を、表示画像制御手段が徐々に消す表示画像制御手順と；
をコンピュータに実行させるプログラム。
【請求項９】
請求項８記載のプログラムを記録したコンピュータ読取可能な記録媒体。
【発明の詳細な説明】
【技術分野】
【０００１】
本発明は、端末装置、サーバ、表示制御方法、プログラムおよび記録媒体に関する。
【背景技術】
【０００２】
ＷＥＢブラウザ画面を利用する広告宣伝表示は、多数の人たちが閲覧するページの中の一部スペースを利用し、本来伝達したい情報（コンテンツ、番組等）の脇、すなわち画面の隅に位置することが多い。
【０００３】
上記従来例によれば、広告を表示するスペースが狭いという問題、つまり、広告を表示するスペースを広くすることができないという問題がある。
【０００４】
この問題を解決するためには、第１のレイヤに情報コンテンツを表示し、情報コンテンツの後ろの第２のレイヤに広告が表示され、情報コンテンツの不透明度と広告の不透明度とを５０％づづにして表示し、情報コンテンツと広告とを同時に見ることができる発明が知られている（特許文献１参照）。
【特許文献１】特開２００３‐２２０４２公報
【発明の開示】
【発明が解決しようとする課題】
【０００５】
しかし、上記情報コンテンツの不透明度と広告の不透明度とを５０％づづにして表示する従来例では、広告の不透明度が５０％であるので、広告を鮮明に見ることができず、端末装置を見ている人に広告内容を強く訴えることができないという問題がある。
【０００６】
本発明は、本来の表示画像を常に小さくすること無しに、広告宣伝画像を表示するスペースを広くとることができ、また、広告宣伝画像を画面の中央に表示することができ、さらに、広告宣伝画像を鮮明に見せることができる端末装置を提供することを目的とするものである。
【課題を解決するための手段】
【０００７】
本発明は、入替前の本来の画像を入替後の本来の画像に表示を切り替える端末装置において、端末装置に表示されている上記メニューのうちの１つの項目をクリック等したことを検出すると、オブジェクト内で、ＣＭ画像または案内画像を徐々に表示し、上記ＣＭ画像または案内画像を所定量表示すると、上記入替後の本来の画像を徐々に表示しつつ、上記ＣＭ画像または案内画像を徐々に消す端末装置である。
【発明の効果】
【０００８】
本発明によれば、本来の表示画像を常に小さくすること無しに、広告宣伝画像を表示するスペースを広くとることができ、また、広告宣伝画像を画面の中央に表示することができ、さらに、広告宣伝画像を鮮明に見せることができるという効果を奏する。
【発明を実施するための最良の形態】
【０００９】
発明を実施するための最良の形態は、以下の実施例である。
【実施例１】
【００１０】
図１は、本発明の実施例１であるパソコン１００を示すブロック図である。
【００１１】
パソコン１００は、端末装置の例であり、ＣＰＵ１０と、Ｉ／Ｆコントローラ２０と、バスコントローラ３０と、メモリ４０と、表示装置５０と、タッチパネルコントローラ６０と、マウス７０と、キーボード８０とを有する。
【００１２】
ＣＰＵ１０は、パソコン１０の全体を制御するとともに、図３に示すフローチャートのプログラムを実行する手段である。Ｉ／Ｆコントローラ２０は、表示装置５０と、タッチパネルコントローラ６０と、マウス７０と、キーボード８０とを制御する。
【００１３】
バスコントローラ３０は、ＣＰＵ１０、Ｉ／Ｆコントローラ２０、メモリ４０との間を接続しているバスを制御する。メモリ４０は、図２に示すＷＥＢブラウザ９０、通信制御プログラム９１、図３に示すフローチャートに対応するプログラムを格納する。
【００１４】
表示装置５０は、ディスプレイであり、図４−１に示すメニューＭを表示し、オブジェクトＯＪ１に、入替前の本来の画像Ｐ１と、ＣＭ画像Ｐ２と、入替後の本来の画像Ｐ３とを表示する装置である。なお、オブジェクトＯＪ１は、ＷＥＢブラウザ画面の表示部分であり、フレームとも言われる部分である。
【００１５】
タッチパネルコントローラ６０は、ユーザの指等で、表示装置５０の所定部分を指定するポインティングデバイスの一種である。
【００１６】
タッチパネルコントローラ６０、マウス７０、キーボード８０は、表示装置５０の画面の所定部分を指定し、決定する手段の例である。
【００１７】
ＣＭ画像Ｐ２は、所定の製品、サービスを宣伝広告する画像であり、実施例１では、家具、電気掃除機を宣伝する画像である。
【００１８】
図２は、パソコン１００と、ＷＥＢサーバＳＶとの関係を示す図である。
【００１９】
ＷＥＢブラウザ９０と、通信制御プログラム９１とは、メモリ４０に格納されている。
【００２０】
ＷＥＢブラウザ９０は、ＷＥＢページを閲覧するためのアプリケーションソフトウエアである。
【００２１】
次に、上記実施例の動作について説明する。
【００２２】
図３は、上記実施例１の動作を示すフローチャートである。
【００２３】
図４−１は、実施例１において、本来の表示画像（入替前の本来の画像）Ｐ１が徐々にＣＭ画像Ｐ２に置き換わる変化を説明する図である。
【００２４】
図４−２は、実施例１において、ＣＭ画像Ｐ２が本来の表示画像（入替後の本来の画像）Ｐ３に徐々に置き換わる変化を説明する図である。
【００２５】
図４−１（１）は、オブジェクトＯＪ１の領域を明示するために、オブジェクトＯＪ１の全面に、何も表示されていない状態を示す図である。
【００２６】
Ｓ１で、ＷＥＢサーバＳＶに、ＷＥＢブラウザ９０と、所定の画像とを要求する。上記所定の画像は、入替前の本来の画像Ｐ１と、ＣＭ画像Ｐ２とである。入替前の本来の画像Ｐ１は、本来の表示画像であって、ＣＭ画像Ｐ２が表示される前に表示されている画像である。つまり、ＣＭ画像Ｐ２が、入替前の本来の画像Ｐ１の背面に配置されている。また、入替前の本来の画像Ｐ１は、本来伝達したい内容の画像であり、コンテンツ、番組等の画像である。
【００２７】
図４−１（２）は、オブジェクトＯＪ１の全面に、入替前の本来の画像Ｐ１が表示されている状態を示す図である。
【００２８】
Ｓ２で、プログラムを起動し、ユーザが、タブＴＢ１をクリックしたとする。これによって、クリスマスに関する入替前の本来の画像Ｐ１を表示する。この状態では、入替前の本来の画像Ｐ１の後ろ（背面）に、ＣＭ画像Ｐ２が配置され、ＣＭ画像Ｐ２は、入替前の本来の画像Ｐ１に隠れ、ユーザには、見えない画像である。
【００２９】
Ｓ３で、メニューＭを構成するタブＴＢ２、ＴＢ３、ＴＢ４のうちのいずれかのタブがクリックされたかどうかを判断する。ここで、タブＴＢ２がクリックされたとする。これによって、Ｓ４〜Ｓ７で、入替前の本来の画像Ｐ１と入替後の本来の画像Ｐ３とを入れ替え、この入替の途中で、ＣＭ画像Ｐ２を表示する。ＣＭ画像Ｐ２を表示する場合、ＣＭ画像Ｐ２の表示面積を徐々に拡大するとともに、入替前の本来の画像Ｐ１の表示面積を縮小し、ＣＭ画像Ｐ２が、オブジェクトＯＪ１の全面に表示された後に、ＣＭ画像Ｐ２の表示面積を徐々に縮小するとともに、入替後の本来の画像Ｐ３の表示面積を徐々に拡大し、入替後の本来の画像Ｐ３を、オブジェクトＯＪ１の全面に表示する。これによって、画像の入替を終了する。
【００３０】
なお、入替後の本来の画像Ｐ３は、本来伝達したい内容の画像であり、コンテンツ、番組等の画像である。
【００３１】
つまり、Ｓ４で、所定の時間をかけて、入替前の本来の画像Ｐ１の表示面積を徐々に縮小し、ＣＭ画像Ｐ２の表示面積を徐々に拡大する。
【００３２】
図４−１（３）は、オブジェクトＯＪ１の面積の３／４に、入替前の本来の画像Ｐ１が表示され、オブジェクトＯＪ１の下１／４にＣＭ画像Ｐ２が表示されている状態を示す図である。
【００３３】
図４−１（４）は、オブジェクトＯＪ１の面積の２／４に、入替前の本来の画像Ｐ１が表示され、オブジェクトＯＪ１の下２／４にＣＭ画像Ｐ２が表示されている状態を示す図である。
【００３４】
図４−１（５）は、オブジェクトＯＪ１の面積の１／４に、入替前の本来の画像Ｐ１が表示され、オブジェクトＯＪ１の下３／４にＣＭ画像Ｐ２が表示されている状態を示す図である。
【００３５】
図４−２（６）は、オブジェクトＯＪ１の全面に、ＣＭ画像Ｐ２が表示され、入替前の本来の画像Ｐ１が消えている状態を示す図である。
【００３６】
図４−１（２）に示す状態から、図４−１（３）、（４）、（５）、図４−２（６）と、進むにつれ、入替前の本来の画像Ｐ１の表示面積が次第に減少し、ＣＭ画像Ｐ２の表示面積が次第に増加する。
【００３７】
そして、Ｓ５で、図４−２（６）に示すように、オブジェクトＯＪ１の全面に、ＣＭ画像Ｐ２を表示し、オブジェクトＯＪ１から、入替前の本来の画像Ｐ１の表示を消す。
【００３８】
Ｓ６で、ＣＭ画像Ｐ２の表示面積を徐々に縮小し、入替後の本来の画像Ｐ３の表示面積を徐々に拡大する。上記入替後の本来の画像Ｐ３は、本来の表示画像であって、ＣＭ画像Ｐ２が表示された後に表示される画像である。
【００３９】
つまり、図４−２（７）に示すように、オブジェクトＯＪ１の上部の１／４に、入替後の本来の画像Ｐ３が表示され、オブジェクトＯＪ１の下部の３／４に、ＣＭ画像Ｐ２が表示され、続いて、図４−２（８）に示すように、オブジェクトＯＪ１の上部の２／４に、入替後の本来の画像Ｐ３が表示され、オブジェクトＯＪ１の下部の２／４に、ＣＭ画像Ｐ２が表示される。さらに、図４−２（９）に示すように、オブジェクトＯＪ１の上部の３／４に、入替後の本来の画像Ｐ３が表示され、オブジェクトＯＪ１の下部の１／４に、ＣＭ画像Ｐ２を表示する。
【００４０】
そして、Ｓ７で、図４−２（１０）に示すように、オブジェクトＯＪ１の全面に、入替後の本来の画像Ｐ３が表示され、オブジェクトＯＪ１から、ＣＭ画像Ｐ２を消去する。
【００４１】
実施例１では、入替前の本来の画像Ｐ１、ＣＭ画像Ｐ２、入替後の本来の画像Ｐ３の各表示面積が、無段階で変化するが、入替前の本来の画像Ｐ１、ＣＭ画像Ｐ２、入替後の本来の画像Ｐ３の各表示面積を段階的に変化するようにしてもよい。
【００４２】
その後、Ｓ８で、メニューＭを構成する複数のタブのうちで、直前にクリックされたタブと同じタブ（上記説明では、タブＴＢ２）がクリックされたかどうかを判断する。同じタブがクリックされると、タブＴＢ２をクリックしたときに表示されたＣＭ画像Ｐ２を、オブジェクトＯＪ１の全面に表示し、この表示状態を固定する。
【００４３】
Ｓ８で、同じタブをクリックしなければ、Ｓ９で、直前にクリックしたタブ以外の新たなタブ（上記説明では、タブＴＢ１、ＴＢ３、ＴＢ４のうちのいずれかのタブ）がクリックされたかどうかを判断する。新たなタブがクリックされれば、Ｓ４に戻る。Ｓ４に戻った場合、図３のＳ４においては、入替前の本来の画像Ｐ１を、入替後の本来の画像Ｐ３に置き換え、入替後の本来の画像Ｐ３をＰ４等、他の画像に置き換えてフローチャートを読む。
【００４４】
実施例１において、オブジェクトＯＪ１における画面内容の変化は、画面閲覧者であるユーザが、所定の操作を実行することによって、短時間で実行される。
【００４５】
つまり、パソコン１００は、入替前の本来の画像を入替後の本来の画像に表示を切り替える端末装置の例である。
【００４６】
なお、上記ＣＭ画像または案内画像が達する所定の面積は、オブジェクトＯＪ１の５０％〜１００％の範囲のうちのいずれの面積でもよい。つまり、上記ＣＭ画像または案内画像が、オブジェクトＯＪ１の面積のたとえば、５０％、７０％、９０％、１００％のうちのいずれかになった場合、上記ＣＭ画像または案内画像の面積が減少するようにしてもよい。
【００４７】
また、タブをクリックすることによって、ＣＭ画像Ｐ２が表示、消去されてから、所定時間経過すると、ＣＭ画像Ｐ２が自動的に表示され、自動的に消去されるようにしてもよい。つまり、上記画面を制御する人間の動作を検出し、上記ＣＭ画像または案内画像を表示する面積を、徐々に拡大し、徐々に縮小し、表示面積が０になってから、所定時間経過すると、上記端末装置に表示されている画面を制御する人間の動作を行わなくても、上記ＣＭ画像または案内画像を表示する面積を、徐々に拡大し、徐々に縮小する手段を、上記表示画像制御手段が有するようにしてもよい。
【００４８】
ＣＭ画像Ｐ２を挟んで、入替前の本来の画像Ｐ１から入替後の本来の画像Ｐ３へ、表示画像を動的に入替える場合、次の（１）〜（１７）のいずれか１つの処理によって、入替前の本来の画像Ｐ１から入替後の本来の画像Ｐ３へ、表示画像を動的に入替えるようにしてもよい。
（１）Ｂｏｘ  ｉｎ／ｏｕｔ（四角い画像を、外から中心へ／中心から外へ縮小／拡大するする処理）
（２）Ｃｉｒｃｌｅ  ｉｎ／ｏｕｔ（円の画像を、外から中心へ縮小し／中心から外へ拡大する処理）
（３）Ｗｉｐｅ  ｕｐ／ｄｏｗｎ（画像を、下から上へ／上から下へスライドする処理）
（４）Ｗｉｐｅ  ｒｉｇｈｔ／ｌｅｆｔ（画像を、左から右へ／右から左へ移動する処理）
（５）Ｖｅｒｔｉｃａｌ／Ｈｏｒｉｚｏｎｔａｌ  ｂｌｉｎｄｓ（画像を、縦／横のブラインドで遮蔽する処理）
（６）Ｃｈｅｃｋｅｒｂｏａｒｄ  ａｃｒｏｓｓ／ｄｏｗｎ（画像を、左から右へ／上から下へモザイクする処理）
（７）Ｒａｎｄｏｍ  ｄｉｓｓｏｌｖｅ（画像を、点から全体へ拡大する処理）
（８）Ｓｐｌｉｔ  ｖｅｒｔｉｃａｌ  ｉｎ／ｏｕｔ（画像を、左右から中心へ／中心から左右へ移動する処理）
（９）Ｓｐｌｉｔ  ｈｏｒｉｚｏｎｔａｌ  ｉｎ／ｏｕｔ（画像を、上下から中心へ／中心から上下へ移動する処理）
（１０）Ｓｔｒｉｐｓ  ｌｅｆｔ  ｄｏｗｎ／ｕｐ（画像を、右上から左下へ／右下から左上へ移動する処理）
（１１）Ｓｔｒｉｐｓ  ｒｉｇｈｔ  ｄｏｗｎ／ｕｐ（画像を、左上から右下へ／左下から右上へ移動する処理）
（１２）Ｒａｎｄｏｍ  ｂａｒｓ  ｈｏｒｉｚｏｎｔａｌ／ｖｅｒｔｉｃａｌ（画像を、横線／縦線から全体へ拡大する処理）
（１３）フェードイン／アウト（画像の不透明度を０→１００％／１００→０％に変換させる処理）
（１４）ロールイン／アウト（画像を、巻物のように開／閉または上／下、左／右に巻く処理）
（１５）キューブロールイン／アウト（立方体の画像を、上下左右方向に回転させる処理）
（１６）ページロール  イン／アウト（画像を、ページめくりする処理）
（１７）スライドアウト／イン（画像を、上下左右方向に移動する処理）。
【００４９】
つまり、上記処理（１）〜（１７）のそれぞれは、ＣＭ画像Ｐ２を徐々に表示する処理であり、ＣＭ画像Ｐ２を徐々に消去する処理である。また、上記処理（１）〜（１７）のそれぞれは、入替前の本来の画像Ｐ１または入替後の本来の画像Ｐ３を徐々に表示する処理であり、入替前の本来の画像Ｐ１または入替後の本来の画像Ｐ３を徐々に消去する処理である。
【００５０】
すなわち、ＣＰＵ１は、パソコン１００等の端末装置に表示されている画面を制御する人間の動作を検出する検出手段の例である。さらに、ＣＰＵ１は、ＣＭ画像または案内画像を、上記入替前の本来の画像の背面に配置し、上記画面を制御する人間の動作を検出すると、画面のオブジェクト内で、ＣＭ画像または案内画像を徐々に表示し、上記ＣＭ画像または案内画像を所定量表示すると、上記入替後の本来の画像を徐々に表示しつつ、上記ＣＭ画像または案内画像を徐々に消す表示画像制御手段の例である。
【００５１】
このように、動的画面切替の手法を採用し、画面切替において、遷移時間を敢えて作り、その間に、広告宣伝情報を閲覧者に見せる。実施例１において、重要なことは、動的画面切替の手法自体ではなく、２つの画面が入れ替わる際の一瞬の「間」である。
【００５２】
上記実施例１によれば、次の効果を奏する。
【００５３】
１．本来の表示画像（入替前の本来の画像Ｐ１、入替後の本来の画像Ｐ３）を常に小さくしなくても、ＣＭ画像Ｐ２の表示スペースを大きくすることができる。
【００５４】
２．オブジェクトＯＪ１の中央に、ＣＭ画像Ｐ２を配置することができる。
【００５５】
３．動的画像切替によって、閲覧者の視点に、ＣＭ画像Ｐ２を表示するので、ＣＭ画像Ｐ２が目立ち、ＣＭ画像Ｐ２の内容を閲覧者に強く訴えることができる。
【００５６】
４．ＣＭ画像Ｐ２が徐々に見えた後に、ＣＭ画像Ｐ２を鮮明に表示するので、広告宣伝画像を鮮明に見せることができる。
【００５７】
５．ＣＭ画像Ｐ２が見え始めてから再び隠れるまでの絶妙な“間“が、かえって閲覧者の注意を惹きつける。
【００５８】
実施例１において、ＣＭ画像Ｐ２を表示する代わりに、所定の案内画像を表示するようにしてもよい。上記案内画像は、所定のイベント、官公庁が行う行事の案内等を表示する画像である。
【００５９】
また、実施例１において、メニューＭを構成する複数のタブのうちの１つのタブをカーソルで指定し、決定する場合、マウスを使用するが、マウスの代わりに、キーボード、タッチパネル等のポインティングデバイスの操作、音声認識装置への音声入力のうちの少なくとも１つの操作によって、メニューＭを構成する複数のタブのうちの１つを指定し、決定するようにしてもよい。つまり、端末装置１００に表示されている画面を制御する人間の動作によって、メニューＭを構成する複数のタブのうちの１つのタブをカーソルで指定し、決定するようにしてもよい。
【００６０】
また、実施例１において、上記表示画像制御手段は、上記画面を制御する人間の動作と同じ動作を続けて実行すると、具体的には、直前にクリックしたメニュー中の項目と同じ項目をもう１回、クリックすると、ＣＭ画像Ｐ２または案内画像を表示し続ける。
【００６１】
さらに、上記実施例をサーバＳＶの発明として把握することができる。つまり、上記実施例は、入替前の本来の画像を入替後の本来の画像に表示を切り替える端末装置と交信するサーバにおいて、上記端末装置に表示されている画面を制御する人間の動作を検出する検出手段と、ＣＭ画像または案内画像を、上記入替前の本来の画像の背面に配置し、上記画面を制御する人間の動作を検出すると、画面のオブジェクト内で、ＣＭ画像または案内画像を徐々に表示し、上記ＣＭ画像または案内画像を所定量表示すると、上記入替後の本来の画像を徐々に表示しつつ、上記ＣＭ画像または案内画像を徐々に消す表示画像制御手段とを有するサーバの例である。
【００６２】
しかも、上記実施例を方法の発明として把握することができる。つまり、上記実施例は、  入替前の本来の画像を入替後の本来の画像に表示を切り替える表示制御方法において、端末装置に表示されている画面を制御する人間の動作を、検出手段が検出する検出工程と、ＣＭ画像または案内画像を、上記入替前の本来の画像の背面に配置し、上記画面を制御する人間の動作を検出すると、画面のオブジェクト内で、ＣＭ画像または案内画像を、表示画像制御手段が徐々に表示し、上記ＣＭ画像または案内画像を所定量表示すると、上記入替後の本来の画像を徐々に表示しつつ、上記ＣＭ画像または案内画像を、表示画像制御手段が徐々に消す表示画像制御工程とを有する表示制御方法の例である。
【００６３】
そして、上記実施例をプログラムの発明として把握することができる。つまり、上記実施例は、入替前の本来の画像を入替後の本来の画像に表示を切り替えるプログラムにおいて、端末装置に表示されている画面を制御する人間の動作を、検出手段が検出する検出手順と、ＣＭ画像または案内画像を、上記入替前の本来の画像の背面に配置し、上記画面を制御する人間の動作を検出すると、画面のオブジェクト内で、ＣＭ画像または案内画像を、表示画像制御手段が徐々に表示し、上記ＣＭ画像または案内画像を所定量表示すると、上記入替後の本来の画像を徐々に表示しつつ、上記ＣＭ画像または案内画像を、表示画像制御手段が徐々に消す表示画像制御手順とをコンピュータに実行させるプログラムの例である。
【００６４】
加えて、上記実施例を記録媒体として把握することができる。つまり、上記実施例は、上記プログラムを記録したコンピュータ読取可能な記録媒体の例である。この場合、記録媒体として、ＣＤ、ＤＶＤ、磁気ディスク、光磁気ディスク、ＨＤ、半導体メモリ等を想定することができる。
【図面の簡単な説明】
【００６５】
【図１】本発明の実施例１であるパソコン１００を示すブロック図である。
【図２】パソコン１００と、ＷＥＢサーバＳＶとの関係を示す図である。
【図３】上記実施例１の動作を示すフローチャートである。
【図４−１】実施例１において、入替前の本来の画像Ｐ１が徐々にＣＭ画像Ｐ２に置き換わる変化を説明する図である。
【図４−２】実施例１において、ＣＭ画像Ｐ２が入替後の本来の画像Ｐ３に徐々に置き換わる変化を説明する図である。
【符号の説明】
【００６６】
１００…パソコン、
１０…ＣＰＵ、
２０…Ｉ／Ｆコントローラ、
３０…バスコントローラ、
４０…メモリ、
５０…表示装置、
６０…タッチパネルコントローラ、
７０…マウス、
８０…キーボード。
【図１】
2009204843.tif 000003
【図２】
2009204843.tif 000004
【図３】
2009204843.tif 000005
【図４−１】
2009204843.tif 000006
【図４−２】
2009204843.tif 000007